(57)【要約】【課題】  住宅等の基礎コンクリート及び床下のコンクリート層を同時に造成する為の型枠用枠板を保持する枠板ホルダーであって、余分な部品を用いることなく取付けが簡単で、費用も安くなる基礎コンクリートの型枠用枠板ホルダーの提供。【解決手段】  基礎コンクリートに埋着される立上がり鉄筋１４の縦筋１５に上下動出来るようにネジ止めされるセパホルダー２と、該セパホルダー２にネジ止めにて取付けられるセパレータ１を備え、該セパレータ１は両側部には枠板下端が嵌る凹溝３，３を形成し、先端の側片４，４には凹溝底の位置に切欠き１７，１７を設けて削除可能としている。【選択図】    図１
2006037542.tif 000002
【特許請求の範囲】
【請求項１】
住宅等の基礎コンクリート及び床下のコンクリート層を同時に造成する為の型枠用枠板を保持する枠板ホルダーにおいて、上記基礎コンクリートに埋着される立上がり鉄筋の縦筋に上下動出来るようにネジ止めされるセパホルダーと、該セパホルダーにネジ止めにて取付けられるセパレータを備え、該セパレータは両側部には枠板下端が嵌る凹溝を形成し、先端の側片には凹溝底の位置に切欠きを設けて削除可能としたことを特徴とする基礎コンクリートの型枠用枠板ホルダー。
【請求項２】
住宅等の基礎コンクリート及び床下のコンクリート層を同時に造成する為の型枠用枠板を保持する枠板ホルダーにおいて、上記基礎コンクリートに埋着される立上がり鉄筋の縦筋に上下動出来るようにネジ止めされるセパホルダーと、該セパホルダーにネジ止めにて取付けられるセパレータを備え、上記セパホルダーは概略コ型で、上片、後片、下片、及び前片を有し、上片と下片には側端から切込んだ切欠き溝と溝底部には縦筋が嵌る嵌合溝を形成し、前片にはセパレータ固定ネジと後片にはセパホルダー固定ネジを設け、該セパレータは鋼板から成って両側部には枠板下端が嵌る凹溝を形成し、先端の側片には凹溝底の位置に切欠きを設けて削除可能としたことを特徴とする基礎コンクリートの型枠用枠板ホルダー。                                                                        
【発明の詳細な説明】
【技術分野】
【０００１】
本発明は住宅等の基礎コンクリートを造成する場合に、枠板を簡単に配置して型枠を構成することが出来る枠板のホルダーに関するものである。
【背景技術】
【０００２】
基礎コンクリートは概略逆T型断面を成し、この基礎コンクリートは所定の型枠にコンクリートを流し込んで造成される。この場合、型枠はベニヤ板を一定間隔をおいて垂直に併設して基礎コンクリートのベースを造り、該ベース上に同じく間隔を狭くした立ち上がり用型枠を設置してコンクリートを流し込んでいる。従って、ベースと立ち上がりをそれぞれ別々に造成しなくてはならず、上記型枠の組立て作業が面倒であるだけでなく、基礎コンクリートの造成を一度に行う場合に比べて該型枠の製作やコンクリートの流し込み作業に要する工数は約２倍に成ってしまう。
【０００３】
そして、近年では床下全面をコンクリート面として、地面からの水分の上昇を防止し(防湿し)、防湿処理をすることで白アリの発生を防止している。従って、この場合には上記基礎コンクリートを造成した後で、さらに床下となる地面にコンクリート層を造成している訳であって、３回にわたってコンクリートの流し込み作業が行われる。
【０００４】
そこで、作業工数を削減する為に、基礎コンクリートと床下コンクリート層を同時に造成出来るようにした型枠が近年において一部で使用されている。図５はその具体例であり、枠板(イ)、(ロ)を保持する為の保持具が用いられている。ベース(ハ)には一方の枠板(イ)が起立し、この枠板(イ)には枠板ホルダー(ニ)がネジ止めされて水平に延び、先端には他の枠板(ロ)が支持されている。そして両枠板(イ)、(ロ)の上端には連結具(ホ)が載って連結され、両枠板(イ)、(ロ)間にコンクリートが流し込まれて基礎コンクリートAが造成される。
【０００５】
一方、内側には別の基礎コンクリートBを造成する為の枠板(ヘ)、(ヘ)が枠板ホルダー(ト)に載って起立している。ところで、基礎コンクリートA、Bを造成する為に枠板(イ)、(ロ)及び枠板(ヘ)、(ヘ)に流し込まれるコンクリートの一部は枠板下方から流れ出て床下コンクリート層Cとなる。
【０００６】
ところで、上記基礎コンクリートAを造成する為の枠板(ロ)を支える枠板ホルダー(ニ)は枠板(イ)にネジ止めされて片持ち支持状態にあって、先端に枠板(ロ)を載せることで安定しない。又枠板(イ)、(ロ)間に流し込まれたコンクリートが固まったところで、枠板(イ)、(ロ)は取外され、基礎コンクリートAの側面から突出したボルト(チ)は折断される。
【０００７】
図６は枠体ホルダー(ニ)の基部を示す詳細図であるが、(ａ)は枠板ホルダー(ニ)のボルト(チ)が枠板(イ)にナット(リ)で固定されている場合であり、点線で示しているナット(リ)を外して枠板(イ)を取除き、そして基礎コンクリート側面から突出したボルト(チ)は折断される。そして(ｂ)に示すように基礎コンクリート側面にはモルタル(ヌ)が塗られる。しかし、薄いモルタル層に浸透した雨水は折断されたボルトまで達して、該ボルト(チ)がサビ、コンクリートにヒビや割れが発生する。
【０００８】
又、図５に示す基礎コンクリートには図示していないが、基礎コンクリートＡ及び基礎コンクリートＢ、さらには床下コンクリートＣには鉄筋が埋着されている。すなわち、床下コンクリート層Ｃの土間鉄筋、及び基礎コンクリートＡ，Ｂの立上がり鉄筋が組み付けされた状態で図５のように型枠が組み立てられ、そしてコンクリートが該型枠に流し込まれる。
【０００９】
このように、従来では床下の土間鉄筋及び基礎コンクリートの立上がり鉄筋と切り離されて型枠の組立てが行われる。従って、枠板以外の余分な数多くの部品が必要と成り、住宅の基礎工事には時間がかかり、必然的に費用も高く成ってしまう。
【特許文献１】特開２００２−１３８４８９号に係る「基礎コンクリートの型枠用枠板ホルダー」
【発明の開示】
【発明が解決しようとする課題】
【００１０】
このように、従来の基礎コンクリートの型枠構造には上記のごとき問題がある。本発明が解決しようとする課題はこの問題点であり、型枠の組立てが容易であって、しかも枠板を安定して保持することが出来、一方では立上がり鉄筋に対しての基礎コンクリートの位置が調整できる基礎コンクリートの型枠を構成する枠板ホルダーを提供する。
【課題を解決するための手段】
【００１１】
本発明に係る基礎コンクリートの型枠用枠板ホルダーは、基礎コンクリートに埋着される立上がり鉄筋の縦筋にセパホルダーを取着し、該セパホルダーにはセパレータを保持することが出来る。セパホルダーの両側端部には凹溝が形成され、枠板の下端は凹溝に嵌って位置決めされて垂直に起立する。
【００１２】
上記セパホルダーにはセパホルダー固定ネジが設けられ、該セパホルダー固定ネジを弛めることでセパホルダーは縦筋に沿って上下動し、適当な高さで固定される。同じく、セパホルダーに保持されるセパレータは左右方向にスライドすることが出来、セパホルダーを中心として左右に延びるセパレータの長さは調整可能としている。該セパレータはセパホルダーに設けているセパレータ固定ネジによって所定の位置に固定される。
【００１３】
このように構成される型枠にコンクリートが流し込まれ、硬化したところで枠板を取外した場合、セパレータの先端一部が床下コンクリート面から突出する。そこで、この突出部を後で削除する為にセパレータの両先端凹溝底の位置に切欠きを形成している。従って、この切欠きを介して先端側片は削除される。
【発明の効果】
【００１４】
本発明に係る基礎コンクリートの型枠用枠板ホルダーは、基礎コンクリートの立上がり鉄筋にセパレータが取付けられ、該セパレータの両側端凹溝に枠板が嵌って起立することが出来る。従って、型枠の組立てが簡単で短時間で行うことが出来、縦筋を利用してセパレータを取付けることで余分な取付け部品が要らなくなる。そして、セパレータはセパホルダーのネジを緩めて上下位置が調整でき、又、縦筋を中心としてセパレータの左右方向へ延びる長さを適度に調整できる。
【００１５】
従って、基礎コンクリートに埋着される立上がり鉄筋の位置が自由に調整可能と成る。又、セパレータの高さもセパホルダーを縦筋に沿って上下動することが可能である為に、床下コンクリートの厚さを調整することが出来る。一方、セパレータの側端の側片は床下コンクリート面から突出するが、該側片は切欠きにて簡単に削除することが出来る。
【実施例】
【００１６】
図１は本発明に係る基礎コンクリートの型枠用枠板ホルダーを示す実施例であって、同図の１はセパレータ、２はセパホルダーを表している。該セパレータ１は鋼板を切断して製作され、両側端部には凹溝３，３を有し、先端には側片４，４を起立している。そしてセパホルダー２は、同図(ｃ)に表しているように概略コ型を成し、上片５、後片６、下片７、及び前片８を有している。
【００１７】
上片５と下片７には側端か切込んだ切欠き溝９，９が形成され、切欠き溝９，９の底部前側には嵌合溝１０，１０を設けている。そして、前片８に設けたネジ穴にはセパレータ固定ネジ１１が螺合し、後片６のネジ穴にはセパホルダー固定ネジ１２が螺合している。
【００１８】
ところで、図１に示すように、セパレータ１はセパホルダー２の上片５と下片７との間に挟まれた状態で取付けられている。実際には上記セパホルダー２を基礎コンクリートの立上がり鉄筋の縦筋に取着し、この状態で上記セパレータ１を上片５と下片７との間に嵌めて取付けられる。
【００１９】
図２は上記基礎コンクリートの型枠用枠板ホルダーを縦筋に固定した場合を示している。床下の土間には土間鉄筋１３が敷設され、そして土間鉄筋１３から立上がり鉄筋１４が起立して所定方向へ延びている。この立上がり鉄筋１4を構成する縦筋１５に枠板ホルダーが一定間隔をおいて固定される。そして、固定されたセパレータ１の両側端部には枠板が載って起立し、型枠が構成される。
【００２０】
図３は縦筋１５の固定した枠板ホルダーの詳細を示しているが、セパレータ１は該セパホルダー２の上片５及び下片７に形成した切欠き溝９に縦筋１５を挿入すると共に嵌合溝１０へ縦筋１５を嵌めてセパホルダー固定ネジ１２を締め付けて固定することが出来る。嵌合溝１０に縦筋１５が嵌ることでセパホルダー２は位置決めされ、この状態で後片６に設けているセパホルダー固定ネジ１２を締付けて縦筋１５を押圧することでセパホルダー２は滑り落ちることなく縦筋１５に固定される。
【００２１】
そこで、セパホルダー固定ネジ１２を弛めることで、セパホルダー２を上下動することが出来、その高さは自由に調整可能と成る。一方、セパレータ１は上片５及び下片７との間に嵌め、セパレータ固定ネジ１１を締めるならば、セパレータ１は縦筋１５との間に挟まれて固定される。ここで、セパレータ固定ネジ１１を締めるならば、セパホルダー２の上片５及び下片７に沿って左右にスライドし、セパホルダー２を中心として左右方向へ延びるセパレータ１の長さは自由に調整できる。
【００２２】
基礎コンクリートに埋着される立上がり鉄筋１４は中央に位置しているのが一般的であるが、時には一方側へ片寄った位置に立上がり鉄筋１４を埋着する場合もあり、本発明の枠板ホルダーではセパレータ１は立上がり鉄筋１４を中心として左右方向への突出長さを自由に変えることが出来、その結果、立上がり鉄筋１４からの枠板までの距離を調整できる。
【００２３】
図４はセパレータ１の両側端に枠板１６，１６を載せて起立した場合を示している。この枠板１６，１６は立上がり鉄筋１４を中心とした左右対称位置に配置されているが、非対称の場合であっても対応可能となる。このように、枠板ホルダーに枠板１６，１６を配置することで型枠が構成され、型枠上部開口からコンクリートを流し込むことが出来る。
【００２４】
そして、床下コンクリート及び基礎コンクリートが出来上がったところで、セパレータ側端の側片４，４は該床下コンクリート表面から突出する。そこで、該側片４，４は凹溝３，３の底に形成した切欠き１７，１７を介して削除することが出来る。
【図面の簡単な説明】
【００２５】
【図１】本発明に係る基礎コンクリートの型枠用枠板ホルダー。
【図２】型枠用枠板ホルダーを立上がり鉄筋に取着した場合。
【図３】型枠用枠板ホルダーの取付け詳細図。
【図４】型枠用枠板ホルダーのセパレータに枠板を配置した場合。
【図５】従来の枠板ホルダーを用いた型枠構造。
【図６】(ａ)は従来の枠板ホルダーの基部、(ｂ)は枠板を取外してボルト基部を折断した場合。
【符号の説明】
【００２６】
１  セパレータ
２  セパホルダー
３  凹溝
４  側片
５  上片
６  後片
７  下片
８  前片
９  切欠き溝
10  嵌合溝
11  セパレータ固定ネジ
12  セパホルダー固定ネジ
13  土間鉄筋
14  立上がり鉄筋
15  縦筋
16  枠板
17  切欠き
【図１】
2006037542.tif 000003
【図２】
2006037542.tif 000004
【図３】
2006037542.tif 000005
【図４】
2006037542.tif 000006
【図５】
2006037542.tif 000007
【図６】
2006037542.tif 000008